(57)【要約】【課題】所定量の試料の採取を容易にすることのできる試料採取器具を提供する。【解決手段】試料採取器具１０は、棒状の軸部３００と、軸部３００の先端部に設けられていて試料を収容する収容部３０４と、軸部３００の基端部に設けられている把持部３０１とを備える。収容部３０４は、軸部３００の軸線方向にある先端部の端面に開口する開口部３４１と、開口部３４１から軸線方向に深さを有する凹部３４４と、軸部３００の表面に軸線方向に延設され、軸部３００の表面と凹部３４４とを連通させている溝状のスリット３４３とを備える。軸部３００の先端部の端面は、開口部３４１を囲む形状を有している。【選択図】図２
2020094828.tif 000002
【特許請求の範囲】
【請求項１】
棒状の軸部と、
前記軸部の先端部に設けられていて試料を収容する収容部と、
前記軸部の基端部に設けられている把持部とを備え、
前記収容部は、前記軸部の軸線方向にある前記先端部の端面に開口する開口部と、前記開口部から前記軸線方向に深さを有する凹部と、前記軸部の表面に前記軸線方向に延設され、前記軸部の表面と前記凹部とを連通させている溝状のスリットとを備え、
前記軸部の前記先端部の端面は、前記開口部を囲む形状を有している
試料採取器具。
【請求項２】
前記スリットは、前記収容部の前記軸線方向の長さ以下の長さで延設されているとともに、前記軸部の表面において前記軸線を周回する方向に前記スリットの有する幅が、液体状の試料を前記スリットの前記軸線方向の長さの位置まで吸い上げることのできる幅に設定されている
請求項１に記載の試料採取器具。
【請求項３】
前記凹部は、前記凹部の内周面の少なくとも一部に前記軸線方向に延びる複数の溝を備えている
請求項１又は２に記載の試料採取器具。
【請求項４】
前記軸部の前記収容部が挿通される挿通孔を有し、前記挿通孔に挿通された前記軸部の前記収容部を密閉状態で収納する収納部をさらに備え、
前記収納部は、有底の筒状容器と、前記筒状容器と前記軸部との間に介在して前記筒状容器と前記軸部との間の気密性を確保する管状部材とを備え、
前記管状部材は、前記軸部が前記軸線方向に貫通する貫通孔を有し、
前記貫通孔は、前記筒状容器の底部に近い内部開口部と、前記筒状容器の前記底部から離れた外部開口部とを有し、
前記内部開口部は、前記貫通した前記軸部との間に気密性を確保することのできる形状及び大きさの開口を有している
請求項１〜３のいずれか一項に記載の試料採取器具。
【請求項５】
前記管状部材の前記外部開口部は、前記内部開口部よりも大きい
請求項４に記載の試料採取器具。
【請求項６】
前記軸部は、前記把持部の先端部寄りに蓋部を有し、
前記管状部材は、前記外部開口部が前記蓋部で封止される
請求項５に記載の試料採取器具。
【請求項７】
前記収容部のスリットは、前記管状部材を貫通した前記軸部において前記筒状容器の内部空間に配置される
請求項４〜６のいずれか一項に記載の試料採取器具。
【請求項８】
前記筒状容器の開口部は、前記管状部材との間に気密性を確保することのできる形状及び大きさの開口を有するとともに、前記管状部材に前記軸部が挿通されて前記内部開口部が押し広げられることで、前記管状部材の前記内部開口部の外周が前記筒状容器の筒内面に押し付けられる
請求項４〜７のいずれか一項に記載の試料採取器具。
【請求項９】
前記筒状容器は、前記底部と前記筒状容器の内部空間に配置された前記軸部の前記収容部との間に前記内部空間を移動可能な態様で複数のビーズを収容している
請求項４〜８のいずれか一項に記載の試料採取器具。
【請求項１０】
前記管状部材は、前記外部開口部寄りの外周にフランジ状の嵌合部を有し、
前記嵌合部は、前記筒状容器の開口部を密閉する
請求項４〜９のいずれか一項に記載の試料採取器具。
【発明の詳細な説明】
【技術分野】
【０００１】
本発明は、試料採取器具に関する。
【背景技術】
【０００２】
検査に必要とされる分量の試料を採取することができる試料採取器具の一例として、試料採取用器具が知られている。
試料採取用器具は、検査等に必要な所定量の試料を簡単に採取できる器具であって、把持部と連結部と採便保持板とからなる採便棒と、管状スクイズ筒とを有する。採便棒は、少なくとも二つの採便保持板の面同士を間隔を有して向かい合わせに配設し、採取すべき試料をこの採便保持板間に配置させる。管状スクイズ筒は、二つの採便保持板を液密状態で密封可能に覆う。
【先行技術文献】
【特許文献】
【０００３】
【特許文献１】特開２００３−４３０３０号公報
【発明の概要】
【発明が解決しようとする課題】
【０００４】
一般に、試料の検査は、検査に利用する試料の分量が正確であるほど検査結果がより高い精度で得られる傾向にある。
この点、特許文献１に記載の試料採取器具は、所定量の試料を採便保持板の間に保持することができる。しかしながら、二つの採便保持板は、その対向面の間隔に粘度や硬度に多様性のある試料の採取の際、間隔が変動するおそれがあったり、開放している周囲から試料が脱落するおそれがあったり、間隔に試料を均一に押し込むことが容易ではないなど、試料を所定量だけ採取できるようにすることについて改善の余地がある。
【０００５】
本発明は、このような実情に鑑みてなされたものであり、その目的は、所定量の試料の採取を容易にすることのできる試料採取器具を提供することにある。
【課題を解決するための手段】
【０００６】
以下、上記目的を達成するための手段及びその作用効果について説明する。
上記課題を解決する試料採取器具は、棒状の軸部と、前記軸部の先端部に設けられていて試料を収容する収容部と、前記軸部の基端部に設けられている把持部とを備え、前記収容部は、前記軸部の軸線方向にある前記先端部の端面に開口する開口部と、前記開口部から前記軸線方向に深さを有する凹部と、前記軸部の表面に前記軸線方向に延設され、前記軸部の表面と前記凹部とを連通させている溝状のスリットとを備え、前記軸部の前記先端部の端面は、前記開口部を囲む形状を有している。
【０００７】
このような構成によれば、粘度や硬度が高い試料を凹部内に押し込んで保持すること、及び、粘度や硬度が低い試料を凹部内に引き上げて保持することが可能である。この際、棒状を有した先端部の表面は、スリットによって１又は複数に区画されて、区画された各部は、軸線方向から見て、曲線状や折れ線状等の囲む形状を有する。そして、軸線方向から見て曲線状等を有した各部が、試料が入る凹部を囲む。結果として、二つの平板の間隙に試料が入る構成と比べて、試料が凹部に入ることによる凹部の変形が抑えられる。結果として、収納部に収納される試料の採取量が、収容部の容量で規定される。また、収容部に採取された試料の量がスリットを通じて確認できるようになる。また、開口部とは別のスリットが排気口となるので小さい開口部からの試料の採取が容易になる。これにより、所定量の試料の採取を容易にすることができる。
【０００８】
好ましい構成として、前記スリットは、前記収容部の前記軸線方向の長さ以下の長さで延設されているとともに、前記軸部の表面において前記軸線を周回する方向に前記スリットの有する幅が、液体状の試料を前記スリットの前記軸線方向の長さの位置まで吸い上げることのできる幅に設定されている。
【０００９】
このような構成によれば、固形状の試料を採取することができるとともに、液体状の試料を毛細管現象によって規定された量だけ採取することができる。
好ましい構成として、前記凹部は、前記凹部の内周面の少なくとも一部に前記軸線方向に延びる複数の溝を備えている。
【００１０】
このような構成によれば、軸線方向に延びる溝によって凹部の内周面と、そこに収容部に採取された試料との間の接触抵抗が増加することから収容部からの試料の脱落が抑制され、採取された試料のより一層の定量化が図られるようになる。
【００１１】
好ましい構成として、前記軸部の前記収容部が挿通される挿通孔を有し、前記挿通孔に挿通された前記軸部の前記収容部を密閉状態で収納する収納部をさらに備え、前記収納部は、有底の筒状容器と、前記筒状容器と前記軸部との間に介在して前記筒状容器と前記軸部との間の気密性を確保する管状部材とを備え、前記管状部材は、前記軸部が前記軸線方向に貫通する貫通孔を有し、前記貫通孔は、前記筒状容器の底部に近い内部開口部と、前記筒状容器の前記底部から離れた外部開口部とを有し、前記内部開口部は、前記貫通した前記軸部との間に気密性を確保することのできる形状及び大きさの開口を有している。
【００１２】
このような構成によれば、収納部と軸部との間の気密性が、筒状容器と軸部との間に配置される管状部材で確保される。また、軸部が管状部材を外部開口部から内部開口部に向けて挿通されて内部開口部を通過するとき、軸部の側面に付着した試料が内部開口部で除去されるようになることから、軸部が筒状容器の内部に配置させる試料が所定量に調整されるようになる。
【００１３】
好ましい構成として、前記管状部材の前記外部開口部は、前記内部開口部よりも大きい。
このような構成によれば、軸部の先端部を外部開口部に挿入しやすくなる。また、外部開口部と内部開口部との間において管状部材と軸部との間に形成される空間に内部開口部で除去された試料を貯留させることができることから、余剰試料の器具からの離脱や飛散を抑制でき、試料採取後の試料採取器具の取り扱いの利便性が向上される。
【００１４】
好ましい構成として、前記軸部は、前記把持部の先端部寄りに蓋部を有し、前記管状部材は、前記外部開口部が前記蓋部で封止される。
このような構成によれば、軸部と管状部材との間に貯留された試料が外部へ流出するようなことが抑えられる。
【００１５】
好ましい構成として、前記収容部のスリットは、前記管状部材を貫通した前記軸部において前記筒状容器の内部空間に配置される。
このような構成によれば、軸部の外周と、管状部材の内部開口部との間にスリットによる隙間が生じないため、軸部と管状部材との気密性が高く維持される。また、収容部に収容された試料が筒状容器の内部空間に配置されるとともに、流出するおそれが無く、筒状容器の内部空間に所定量の試料を配置することができる。
【００１６】
好ましい構成として、前記筒状容器の開口部は、前記管状部材との間に気密性を確保することのできる形状及び大きさの開口を有するとともに、前記管状部材に前記軸部が挿通されて前記内部開口部が押し広げられることで、前記管状部材の前記内部開口部の外周が前記筒状容器の筒内面に押し付けられる。
【００１７】
このような構成によれば、筒状容器の内部と管状部材との間に気密性が確保される。また、軸部が管状部材に挿通されることにともなって、軸部、管状部材及び筒状容器の各相互間における密閉性がより高められて、筒状容器の内部空間に軸部が供給した試料が好適に気密保持される。
【００１８】
好ましい構成として、前記筒状容器は、前記底部と前記筒状容器の内部空間に配置された前記軸部の前記収容部との間に前記内部空間を移動可能な態様で複数のビーズを収容している。
【００１９】
このような構成によれば、複数のビーズが移動可能な態様で内部空間に配置されていることから、複数のビーズを振動させて、筒状容器の内部に配置された試料を拡散させたり、試料を検査用に粉砕することができる。
【００２０】
好ましい構成として、前記管状部材は、前記外部開口部寄りの外周にフランジ状の嵌合部を有し、前記嵌合部は、前記筒状容器の開口部を密閉する。
このような構成によれば、筒状容器の開口部と管状部材の嵌合部との密接によって、軸部の収容部が所定量の試料とともに筒状容器の内部空間に密閉保持されるようになる。
【発明の効果】
【００２１】
本発明によれば、所定量の試料の採取を容易にすることができる。
【図面の簡単な説明】
【００２２】
【図１】試料採取器具の一実施形態を示す正面図。
【図２】試料採取器具の断面図。
【図３】試料採取器具を構成する各部品の正面図。
【図４】試料採取器具を構成する筒状容器の図３の４−４切断線における断面図。
【図５】試料採取器具を構成する軸部の図３の５−５切断線における断面図。
【図６】試料採取器具の軸部の図３の６−６切断線における断面図。
【図７】試料採取器具の軸部の図３の７−７切断線における断面図。
【図８】試料採取器具の収容部の一例について、その定量性を測定した図。
【図９】試料採取器具の収容部の一例について、その容積に対する定量性を測定した図。
【発明を実施するための形態】
【００２３】
以下、図１〜図９を参照して、試料採取器具の一実施形態について説明する。なお、この試料採取器具は、動物の便から所定量の試料を採便するために使用される。
図１〜図３に示すように、試料採取器具１０は、有底の筒状容器１００と、採便に使用される軸部３００と、筒状容器１００と軸部３００との間に介在して筒状容器１００と軸部３００との間の気密性を確保する管状部材２００とが組み合わされて構成されている。本実施形態では、筒状容器１００、管状部材２００、及び、軸部３００は、組み合わされて、相互に当接する部分は軸線方向に直交する断面形状が円形である。筒状容器１００、管状部材２００、及び、軸部３００は、樹脂材料より構成され、樹脂成形により所定の形状に形成されている。
【００２４】
図２に示すように、筒状容器１００は、筒状容器１００の一方の端部１０２に底部１１０を有し、他方に開口部１０３を有している。筒状容器１００は、筒体１０１の内周面１０５と底部１１０とで区画された収納部としての内部空間１０６を有している。
【００２５】
管状部材２００は、筒状容器１００の開口部１０３から筒状容器１００に差し込まれている。管状部材２００は、外周から突出しているフランジ状の嵌合部２０２に筒状容器１００の開口部１０３が差し込まれる。管状部材２００は、管体２０１の外周面が筒状容器１００の内周面１０５に対向する。管体２０１の外周面は、少なくとも一部が周状に筒状容器１００の内周面１０５に当接して、筒状容器１００の内周面１０５と管体２０１の外周面との間を密閉することができるようになっている。
【００２６】
また、管状部材２００は、軸部３００が挿通される挿通孔としての貫通孔２０４を有している。貫通孔２０４は、軸線方向において筒状容器１００の内部空間１０６に収容される内部開口部２１４と、筒状容器１００の開口部１０３よりも外方に突出している外部開口部２３１とを備えている。貫通孔２０４には、軸部３００が挿通配置される。
【００２７】
軸部３００は、軸本体３０３の軸線方向の一方の端部である先端部に試料を収容する収容部３０４を有し、他方の端部である基端部に操作用のつまみである把持部３０１を有している。軸部３００の収容部３０４は、筒状容器１００の内部空間１０６に収納される。収容部３０４は、管状部材２００の貫通孔２０４を外部開口部２３１から内部開口部２１４に向けて貫通することで内部空間１０６に収納される。軸部３００は、軸本体３０３の外周に突出するフランジ状の蓋部３０２を有しており、収容部３０４が貫通孔２０４に挿入されることで、蓋部３０２が管状部材２００の外部開口部２３１に当接するように管状部材２００に差し込まれる。
【００２８】
続いて、筒状容器１００、管状部材２００及び軸部３００のそれぞれを説明する。
図２に示すように、筒状容器１００は、筒体１０１において開口部１０３に近い位置に、嵌合部１２０及びフランジ１０４を備えている。フランジ１０４は、筒体１０１の外周から外方に周状に突出している。嵌合部１２０は、開口部１０３からフランジ１０４までの間に設けられている。嵌合部１２０は、筒体１０１の外周を周回するねじ用の凸ガイド１２１が設けられている。
【００２９】
筒状容器１００は、底部１１０には、内部空間１０６の内周面１０５に設けた境界１１１から先細り形のテーパー面１１２と、テーパー面１１２の先端部に皿部１１３とが設けられている。底部１１０は、内部空間１０６の固形物がテーパー面１１２に沿って皿部１１３に集積されるようになっている。
【００３０】
図３及び図４に示すように、管状部材２００は、外径φ２１を有する筒状である。管状部材２００の外径φ２１は、筒状容器１００の開口部１０３に挿入可能な大きさであり、かつ、筒状容器１００の内周面１０５に当接する大きさである。
【００３１】
管状部材２００は、軸線方向に外部開口部２３１から順に外筒部２０３、嵌合部２０２、管体２０１、及び内筒先端部２１１を配置させている。
外筒部２０３は、外周面２３０の嵌合部２０２に近い位置に外周面２３０を一周する凹みである凹ガイド２３３を備えている。外筒部２０３は、外部開口部２３１と反対側の境界２３２の先に嵌合部２０２が設けられている。
【００３２】
嵌合部２０２は、最大外径φ２２であり、筒状容器１００の開口部１０３の端面を内周から外周に覆う張出部２２０と、筒状容器１００の開口部１０３の外周を円周状に覆う周枠部２２１とを備えている。
【００３３】
周枠部２２１は、筒状容器１００の嵌合部１２０に略平行に対向する内面２２２を備えている。内面２２２には、軸線方向を中心に内面２２２の表面を周回するねじ用の凸ガイド２２３が設けられている。凸ガイド２２３は、対向する嵌合部１２０の凸ガイド１２１と螺合することができる形状である。軸線方向における内面２２２の長さＬ２６は、軸線方向における筒状容器１００の開口部１０３からフランジ１０４までの長さと同じか、短くなっている。よって、嵌合部２０２の周枠部２２１を筒状容器１００の嵌合部１２０に螺合させたとき、嵌合部２０２の張出部２２０が開口部１０３の端部に密接することで筒状容器１００と管状部材２００との間の気密性、密閉性が確保される。
【００３４】
嵌合部２０２の周枠部２２１は、外表面２２４に接触抵抗を増加させるための凹凸が設けられている。また、周枠部２２１は、外表面２２４の全周が軸線方向に対して所定の角度θ２２で傾斜している。角度θ２２は、外部開口部２３１に向かって軸線に近づく傾きを有している。よって、周枠部２２１は、外部開口部２３１側の外径φ２３よりも、外表面２２４の内部開口部２１４側の最大外径φ２２の方が大きい。
【００３５】
ところで、複数の試料採取器具１０は、資料の分析のために適用される機器の一つに遠心分離機がある。試料採取器具１０は、遠心分離機の機器に取り付けられるとき、円周上において、筒状容器１００の底部１１０が外周になり、軸部３００の把持部３０１が内周になるように配置される。つまり、このような配置を高い密度で行う場合、複数の試料採取器具１０は、把持部３０１を突き合わせるように配置される。高い密度で配置された試料採取器具１０は、器具の中で大きな幅をとる嵌合部２０２が、隣接する試料採取器具１０の嵌合部２０２に干渉するおそれがある。そこで、嵌合部２０２は、把持部３０１に向かう先細り形状とされることで、円周状に配置されるとき、隣接する試料採取器具１０の嵌合部２０２と干渉するおそれが低下されて、試料採取器具１０の高密度配置を可能とさせている。例えば、周枠部２２１の傾きの角度θ２２が「６°」であるとすると、嵌合部２０２は、右側が「６°」、左側が「６°」であり、両側併せて「１２°」の傾斜を有することになる。左右ともに例えば「１°」の間隔を確保する余裕を設けるとすれば、嵌合部２０２は、「１４°」の傾斜を有するものになり、円周上に２４〜２５本の試料採取器具１０を配置することができる。
【００３６】
管状部材２００は、外部開口部２３１と内部開口部２１４とをそれぞれ同一の外径φ２１としている。一方、管状部材２００は、内部開口部２１４の内径φ２５が外部開口部２３１の内径φ２７よりも小さい。貫通孔２０４は、外部開口部２３１から内部開口部２１４に向けて順に、第１内周面２０５、第２内周面２０６、及び、第３内周面２０７を有している。
【００３７】
第１内周面２０５は、外部開口部２３１の内径φ２７と同じ大きさの内径を有する。
第３内周面２０７は、内部開口部２１４の内径φ２５と同じ大きさの内径を有する。
第２内周面２０６は、第１内周面２０５と第３内周面２０７とを繋ぐ内周面であって、第１内周面２０５の内径φ２７である端部２１２を縮径させて、第３内周面２０７の内径φ２５である端部２１３に繋ぐテーパー面である。第２内周面２０６は、軸線方向に対して傾斜角θ２１を有している。傾斜角θ２１は、軸部３００が管状部材２００の貫通孔２０４を好適に挿通できる角度に規定されている。例えば、傾斜角θ２１は、軸部３００が貫通孔２０４に引っかかることなく内部開口部２１４に導かれるとともに、軸部３００の外周に付着した余剰試料をそぎ落として貫通孔２０４内に保持させることのできる角度である。よって、軸線方向に対する端部２１２から内部開口部２１４まで長さＬ２１は、内径φ２７と内径φ２５と傾斜角θ２１、及び、第３内周面２０７の長さによって定まる。傾斜角θ２１は、軸線方向に対して、例えば「６５°」以下であり、好ましくは「４５°」以下であり、より好ましくは、「３０°」以下、かつ、「５°」以上である。
【００３８】
内部開口部２１４の内径φ２５は、軸部３００の軸本体３０３の外周面が密着して、気密性を確保することができる大きさを有している。内部開口部２１４は、軸本体３０３の収容部３０４に収容されている試料を通過させる一方、収容部３０４からはみ出した余剰試料は通過させず、管状部材２００の貫通孔２０４に貯留させる。管状部材２００は、概略として、外部開口部２３１から端部２１２までの区間Ｌ２３に形成される、軸部３００の表面と貫通孔２０４の内表面との間の空間が、余剰試料を貯留させる空間として確保される。
【００３９】
また、管状部材２００は、挿通された軸部３００の軸本体３０３からの圧力によって内部開口部２１４が僅かに拡径される。この拡径によって、内部開口部２１４と筒状容器１００の内周面１０５との間の気密性や密着性が高められる。
【００４０】
このようにして、軸部３００の軸本体３０３と管状部材２００の内部開口部２１４との間の気密性とが確保される。また、管状部材２００の内部開口部２１４と筒状容器１００の内周面１０５との間の気密性が確保される。よって、筒状容器１００の内部空間１０６は、軸本体３０３の収容部３０４を収納した状態で筒状容器１００の外部に対して気密性を有して区画される。
【００４１】
さらに、筒状容器１００の開口部１０３は、管状部材２００の嵌合部２０２に封止されるとともに、管状部材２００の外部開口部２３１は、軸部３００の蓋部３０２に封止されることによって、より一層、筒状容器１００の気密性が高められる。
【００４２】
また、管状部材２００の貫通孔２０４は、筒状容器１００の外部に対する気密性、及び、筒状容器１００の内部空間１０６に対する気密性がそれぞれ確保される。
よって、筒状容器１００の内部空間１０６に配置された試料は、内部空間１０６からの漏えい等が抑制されて、隔離された状態とされる。また、管状部材２００の貫通孔２０４に配置された余剰試料は、筒状容器１００の外部への漏えいとともに、内部空間１０６への漏えいが抑制されて、隔離された状態とされる。
【００４３】
図３及び図５に示すように、軸部３００は、筒状容器１００の外部に配置される基端部から筒状容器１００の内部に配置される先端部に向かって順に、把持部３０１、蓋部３０２、軸本体３０３、及び、収容部３０４を備えている。
【００４４】
軸本体３０３は、樹脂製の円柱であって大きさとして直径φ３１を有している。
図３、図５及び図６に示すように、把持部３０１は、軸線方向において軸本体３０３の基端側に扁平形状に成形されている。把持部３０１は、軸線方向に直交する一方向を幅方向として幅Ｌ４０を有し、幅方向に直交する厚さ方向に厚さＬ４４を有している。
【００４５】
把持部３０１は、操作性や把持性の向上を図るため、幅方向において中央部３１２の厚みが、幅方向において左右端の各側辺部３１３よりも相対的に薄い。つまり、中央部３１２は、軸線方向に延びる幅Ｌ４１の凹部であり、側辺部３１３は、中央部３１２に沿って軸線方向に延びる幅Ｌ４２の凸部である。幅Ｌ４０は、「幅Ｌ４１＋幅Ｌ４２×２」に等しい。また、中央部３１２は、厚さＬ４３であり、側辺部３１３は、厚さＬ４４であり、「厚さＬ４３＜厚さＬ４４」の関係を有している。把持部３０１は、中央部３１２が軸線方向に延設されることで、操作のために挟み込む把持片や人の指等に対して接触抵抗を増大させたり、操作中に軸線方向左右へ振れることを抑制させたりしている。
【００４６】
図５及び図７に示すように、蓋部３０２は、軸線方向において把持部３０１と軸本体３０３との間に設けられており、軸本体３０３の外周から周状に突出している。蓋部３０２は、軸本体３０３から順に、軸本体３０３を拡径させた拡径部３２４と、周状に突出し、管状部材２００の外部開口部２３１の端面を覆う張出部３２６と、管状部材２００の外部開口部２３１の外周を覆う周枠部３２２とを備えている。
【００４７】
拡径部３２４は、管状部材２００の外部開口部２３１の内径φ２７に嵌合する大きさを有している。拡径部３２４は、軸本体３０３の直径φ３１を外部開口部２３１の内径φ２７に内接する大きさに拡径された部分である。拡径部３２４は、周内側に肉抜きされた凹部３２５が設けられている。拡径部３２４は、軸本体３０３をそのまま太くすると厚肉となって成形精度が低下するため、把持部３０１と拡径部３２４とに不要とされる樹脂が凹部３２５により減らされて樹脂厚さが薄くされている。
【００４８】
張出部３２６は、拡径部３２４から外方に突出され、管状部材２００の外部開口部２３１の端面に当接することができる。
周枠部３２２は、円筒形状であり、管状部材２００の外部開口部２３１を有する周側面に対向する内面３２７を備えている。周枠部３２２は、内面３２７の先端に凸ガイド３２８が設けられている。凸ガイド３２８は、対向する外筒部２０３の凹ガイド２３３と嵌合する形状であり、凹ガイド２３３に対して嵌合可能になっている。内面３２７の軸線方向の直径Ｌ３９は、軸線方向における管状部材２００の外部開口部２３１から嵌合部２０２までの長さと同じ、又は、短くなっている。よって、蓋部３０２を管状部材２００に嵌合させたとき、凸ガイド３２８が凹ガイド２３３に嵌合しつつ、張出部３２６が外部開口部２３１の端部に当接して管状部材２００と軸部３００の軸本体３０３との間の空間の気密性、密閉性が確保される。
【００４９】
周枠部３２２は、外径φ３３が嵌合部２０２の最大外径φ２２よりも小さい。周枠部３２２は、外周面に滑り止めの凹凸を有しているとともに、軸線方向において把持部３０１の方向に縮径するように傾斜θ３２（図３参照）を有している。例えば、傾斜θ３２は、３°前後である。
【００５０】
図３に示すように、収容部３０４は、軸部３００の先端部分にあって、試料を採取すること、及び、採取した試料を収容できる部分である。収容部３０４は、概略、軸本体３０３が延長された形状をしている。詳述すると、収容部３０４の直径は、先端に向かうにつれて傾斜θ３３で縮径され、軸線に沿う中心には、空間を形成する凹部３４４が設けられ、収容部３０４の側面（軸部３００の表面）には、凹部３４４に連通されるスリット３４３が軸線方向に延設されている。傾斜θ３３は、例えば、「１°」であって、軸線方向における径変化は小さいが、軸部３００を管状部材２００に挿通させるとき、引っ掛かり等の操作性の劣化を抑制させることができる。また、スリット３４３は、収容部３０４に採取された試料の量を確認できるようにする。また、スリット３４３は、試料の採取の採、開口部３４１に対して別の排気口となるので開口部３４１からの試料の採取を容易にする。
【００５１】
収容部３０４は、軸線方向における先端にある先端面３４０に開口部３４１を備える。先端面３４０は、軸本体３０３との直径φ３１よりも小さい直径Ｌ３５を有しており、開口部３４１は、直径Ｌ３５よりも小さい直径Ｌ３９を有している。収容部３０４は、開口部３４１から軸線方向に深さを有する穴である凹部３４４を備える。凹部３４４は、軸線方向に開口部３４１から軸本体３０３の先端側３３０までのスリット深さＬ３４を有する。例えば、凹部３４４は、「直径Ｌ３９の円形の面積×スリット深さＬ３４」の容積を有する。
【００５２】
また、収容部３０４は、外周から凹部３４４に連通する溝状のスリット３４３を軸線方向にスリット深さＬ３４で備えている。換言すると、収容部３０４は、外周の一部を構成し、周方向がスリット３４３で区画された複数の外周部３４２を備える。
【００５３】
外周部３４２は、軸線方向から見ると、外周円弧の一部を外側とし、凹部３４４の内周側面の一部を内側とする円弧状からなる曲線状を有している。区画された各外周部３４２は、軸線方向から見て、円弧状の囲む形状を有する。よって、軸線方向から見て曲線状を有した各外周部３４２が、試料が入る凹部３４４を囲む。また、円弧状が外周部３４２の強度を高めることから、収容部３０４の強度向上も図られる。
【００５４】
外周部３４２は、外側と内側との間に厚さＬ３７を有する。厚さＬ３７は、試料の採取において剛性を維持できる厚さとされる。隣接する２つの外周部３４２は、軸線方向の全部がスリット３４３で区画されている。スリット３４３は、所定のスリット幅Ｌ３６を有している。例えば、スリット３４３は、「スリット幅Ｌ３６×厚さＬ３７×スリット深さＬ３４」の容積を有する。
【００５５】
換言すると、収容部３０４は、軸線方向に直交する断面方向において、凹部３４４は複数の外周部３４２に囲われている。凹部３４４は、中央の空間の周囲が複数の外周部３４２によって、他方の外周部３４２に向かって延びる端辺部を含み、抱え込まれるように区画されることで、高い精度で断面積が規定される。複数の外周部３４２は、固形状の試料であれば、円弧に試料を切り取って凹部３４４に収容するため、試料の採取量が高い精度で所定量とされる。また、複数の外周部３４２は、円弧の内周に試料を配置させるため、凹部３４４に配置される試料が好適に保持される。なお、隣接する外周部３４２の端辺部の間がスリット３４３となっているので、スリット３４３の軸線方向の幅は外周部３４２の端辺部の周方向へ伸ばす長さによって任意に変更することが容易である。
【００５６】
凹部３４４は、内周面に軸線方向に延設される複数の溝３４５を備えている。溝３４５は、凹部３４４の内周面に対して深さＬ３８で断面形状が半円状の溝として形成されている。溝３４５は、凹部３４４の内周面の試料との摩擦抵抗を高めることで凹部３４４の試料保持力を高めることによって固形状の試料が好適に維持されるようにする。また、溝３４５は、凹部３４４の内周面の試料の吸い上げ力を高めることによって液状の試料が好適維持されるようにする。
【００５７】
軸本体３０３は、凹部３４４の底面となる軸本体３０３の先端側３３０に先端凹部３３１が凹設されている。先端凹部３３１は、試料採取器具１０が組み立てられたとき、軸線方向における少なくとも一部が、管状部材２００の内部開口部２１４に対応する位置に設けられている。軸本体３０３の直径φ３１と内部開口部２１４とを密着させるためには高い寸法精度を要するが、直径φ３１が相対的に大きくなる方向に多少の誤差が生じたとしても、先端凹部３３１によって直径φ３１を縮径変形させることができる。これにより、軸本体３０３と内部開口部２１４との気密性がより好適に維持されるようになる。
【００５８】
また、先端凹部３３１は、軸線方向に深さＬ３３を有し、断面方向に直径φ３２を有している。先端凹部３３１は、軸本体３０３に薄肉である薄肉部３３２を形成することにより先端凹部３３１に対応する薄肉部３３２における直径φ３１の精度を高める。軸本体３０３は、樹脂形成されているため、肉厚が厚くなるほど冷却時の収縮等で寸法精度が低下するおそれがある。よって、先端凹部３３１を形成して薄肉とする薄肉部３３２を設けることによって寸法精度の低下が抑制される。
【００５９】
また、先端凹部３３１は、その容積に応じて、収容部３０４に採取される試料を微調整することができる。
図８及び図９を参照して、収容部３０４に試料を充填させることができる条件について説明する。図８は、凹部３４４に液体状の試料を充填することができるスリットの条件を示している。図９は、収容部３０４に収容できる試料の所定量と、所定量の液体状の試料が収容されるか否かを示している。なお、図８及び図９ではいずれも、収容部３０４の凹部３４４は、直径Ｌ３９が「３ｍｍ」であるときの例である。
【００６０】
図８は、スリット幅Ｌ３６が「０．５」，「０．７」，「１」，「１．２」，「１．５」（単位：ｍｍ）のいずれかであるとき、スリット深さＬ３４が「５」，「１０」，「２０」及び「３０」（単位：ｍｍ）であるときに収容部３０４に液体状の試料が充填されるか否かを示す。
【００６１】
まず、図８のリスト２０に示すように、収容部３０４には、スリット幅Ｌ３６が「０．５」のとき、スリット深さＬ３４が「５」，「１０」，「２０」及び「３０」で液体状の試料が充填される（ＯＫ判定）。また、収容部３０４には、スリット幅Ｌ３６が「０．７」のとき、スリット深さＬ３４が「５」，「１０」及び「２０」で液体状の試料が充填される（ＯＫ判定）一方、スリット深さが「３０」で液体状の試料が充填されない（ＮＧ判定）。また、収容部３０４には、スリット幅Ｌ３６が「１」又は「１．２」のとき、スリット深さＬ３４が「５」及び「１０」で液体状の試料が充填される（ＯＫ判定）一方、「２０」及び「３０」で液体状の試料が充填されない（ＮＧ判定）。また、収容部３０４には、スリット幅Ｌ３６が「１．５」のとき、スリット深さＬ３４が「５」で液体状の試料が充填される（ＯＫ判定）一方、「１０」，「２０」及び「３０」で液体状の試料が充填されない（ＮＧ判定）。
【００６２】
図８のグラフ２１は、リスト２０に基づいて作成した図であり、収容部３０４に液体状の試料が充填される（ＯＫ判定）ときのスリット幅の最大値と、スリット深さの最大値とをプロットして折れ線Ｇ２０を得た。折れ線Ｇ２０に対して、近似曲線Ｇ２１が得られる。ところで、スリット３４３による毛細管現象によって収容部３０４に液体状の試料が充填されると考えられる。よって、スリット３４３の幅が小さいほど、スリット深さＬ３４が大きくなるスリット３４３の高い位置まで、試料が収容部３０４に充填されるようになることが、図８のリスト２０やグラフ２１に示されている。例えば、近似曲線Ｇ２１は、スリット幅Ｌ３６とスリット深さＬ３４とが反比例のような相関関係を有していることを示している。なお、リスト２０に基づくと、スリット幅Ｌ３６とスリット深さＬ３４との関係が、式（１）で示される。
【００６３】
スリット幅＝（−３８．６９×スリット深さ＾３）＋（１３５．７１４×スリット深さ＾２）＋（−１７０．６８×スリット深さ）＋８６．２５…（１）
グラフ２１の近似曲線Ｇ２１は、左下の部分が収容部３０４に試料が充填される領域（ＯＫ領域）である。つまり、収容部３０４は、近似曲線Ｇ２１の左下に属するようにスリット幅Ｌ３６とスリット深さＬ３４とが組み合わされることで、収容部３０４の所定量に対して高い容量精度で試料を採取することができる。一方、グラフ２１の近似曲線Ｇ２１は、右上の部分が収容部３０４に試料が充填されない領域（ＮＧ領域）である。このため、収容部３０４は、スリット幅Ｌ３６とスリット深さＬ３４とが組み合わせが、ＮＧ領域になると、収容部３０４の所定量に対して試料の採取量の精度が低下する。なお、近似曲線Ｇ２１は、試料の種類や粘度等によって、曲線の傾きや、Ｘ値、Ｙ値等が相違する。このため、近似曲線Ｇ２１は、試料の種類等に応じて、実験的、理論的、又は、経験的に求めることで、収容部３０４の容量に対して液体状の試料が充填されるように収容部３０４にスリット幅Ｌ３６とスリット深さＬ３４とを設けることができるようになる。例えば、収容部３０４における試料の充填がＯＫ領域でなされるように、スリット３４３のスリット幅Ｌ３６は、液体状の試料をスリット３４３のスリット深さＬ３４（軸線方向の長さ）の位置まで吸い上げることのできる幅に設定されている。
【００６４】
図９は、スリット幅Ｌ３６が「０．３」，「０．５」，「０．７」，「１」，「１．２」，「１．５」（単位：ｍｍ）のいずれかであるとき、スリット深さＬ３４が「１」，「５」，「１０」，「１５」，「２０」，「２５」及び「３０」（単位：ｍｍ）であるとき収容部３０４に充填することができる液体状の試料の量を示す。リスト３０は、白抜きの範囲が収容部３０４に液体状の試料が充填される領域であり、編み掛けの範囲が収容部３０４に液体状の試料が充填されない領域を示す。リスト３０によれば、収容部３０４に液体状の試料を採取することのできる量の精度の高い範囲が白抜きの範囲により規定される。つまり、収容部３０４に、採取量に適したスリット幅Ｌ３６とスリット深さＬ３４とを設けることができるようになる。
【００６５】
リスト３０によれば、収容部３０４は、スリット幅Ｌ３６が「０．３」、及び、スリット深さＬ３４が「３０」のとき、採取量の最大値を「２３８．８」立方ミリメートルとすることができる。また、収容部３０４は、スリット幅Ｌ３６が「０．５」、及び、スリット深さＬ３４が「２５」のとき、採取量の最大値を「２０４」立方ミリメートルとすることができる。また、収容部３０４は、スリット幅Ｌ３６が「０．７」、及び、スリット深さＬ３４が「２０」のとき、採取量の最大値を「１６７．２」立方ミリメートルとすることができる。また、収容部３０４は、スリット幅Ｌ３６が「１」、及び、スリット深さＬ３４が「１０」のとき、採取量の最大値を「８６．６」立方ミリメートルとすることができる。また、収容部３０４は、スリット幅Ｌ３６が「１．２」、及び、スリット深さＬ３４が「１０」のとき、採取量の最大値を「８８．６」立方ミリメートルとすることができる。また、収容部３０４は、スリット幅Ｌ３６が「１．５」、及び、スリット深さＬ３４が「５」のとき、採取量の最大値を「４５．８」立方ミリメートルとすることができる。
【００６６】
なお、リスト２０やリスト３０は、試料が常温の水であることきに得られる結果の一例を示すものである。試料が水以外の液体状であったとしても、当該試料において相対的に水と同様の傾向が結果として得られる。
【００６７】
本実施形態の効果について説明する。
（１）粘度や硬度が高い試料を凹部３４４内に押し込んで保持すること、及び、粘度や硬度が低い試料を凹部３４４内に引き上げて保持することが可能である。この際、棒状を有した先端部の表面（先端面３４０）は、スリット３４３によって複数に区画されて、区画された各外周部３４２は、軸線方向から見て、弧状や折れ線状等の囲む形状を有する。そして、軸線方向から見て曲線状を有した各外周部３４２が、試料が入る凹部３４４を囲む。結果として、二つの平板の間隙に試料が入る構成と比べて、試料が凹部３４４に入ることによる凹部３４４の変形が抑えられる。結果として、内部空間１０６に収納される試料の採取量が、収容部３０４の容量で規定される。また、収容部３０４に採取された試料の量がスリット３４３を通じて確認できるようになる。また、開口部３４１とは別のスリット３４３が排気口となるので小さい開口部３４１からの試料の採取が容易になる。これにより、所定量の試料の採取が容易になる。
【００６８】
（２）スリット３４３の幅が、液体状の試料をスリット３４３の軸線方向の長さの位置まで吸い上げることのできる幅に設定されているので、固形状の試料の採取することができるとともに、液体状の試料についても毛細管現象で規定された量を採取することができる。
【００６９】
（３）凹部３４４を軸線方向に延びる溝３４５によって凹部３４４の内周面を含む収容部３０４と、そこに採取された試料との間の接触抵抗が増加することから収容部３０４からの試料の脱落が抑制され、採取された試料のより一層の定量化が図られるようになる。
【００７０】
（４）内部空間１０６と軸部３００との間の気密性が、筒状容器１００と軸部３００との間に配置される管状部材２００で確保される。また、軸部３００が管状部材２００を外部開口部２３１から内部開口部２１４に向けて挿通されて内部開口部２１４を通過するとき、軸部３００の側面に付着した試料が内部開口部２１４で除去されるようになることから、軸部３００が筒状容器１００の内部に配置させる試料が所定量に調整されるようになる。
【００７１】
（５）軸部３００の先端部を外部開口部２３１に挿入しやすくなる。また、外部開口部２３１と内部開口部２１４との間において管状部材２００と軸部３００との間に形成される空間に内部開口部２１４で除去された余剰試料を貯留させることができることから、余剰試料の器具からの離脱や飛散を抑制でき、試料採取後の試料採取器具１０の取り扱いの利便性が向上される。
【００７２】
（６）蓋部３０２が管状部材２００の外部開口部２３１を封止するので、軸部３００と管状部材２００との間に貯留された試料が外部へ流出することが抑えられる。
（７）軸部３００の外周と、管状部材２００の内部開口部２１４との間にスリット３４３による隙間が生じないため、軸部３００と管状部材２００との気密性が高く維持される。また、収容部３０４に収容された試料が筒状容器１００の内部空間１０６に配置されるとともに、流出するおそれが無く、筒状容器１００の内部空間１０６に所定量の試料を配置することができる。
【００７３】
（８）筒状容器１００の内部と管状部材２００との間に気密性が確保される。また、軸部３００が管状部材２００に挿通されることにともなって、軸部３００、管状部材２００及び筒状容器１００の各相互間における密閉性がより高められて、筒状容器１００の内部空間１０６に軸部３００が供給した試料が好適に気密保持される。
【００７４】
（９）筒状容器１００の開口部１０３と管状部材２００の嵌合部２０２との密接によって、軸部３００の収容部３０４が所定量の試料とともに筒状容器１００の内部空間１０６に密閉保持されるようになる。
【００７５】
本実施形態は、以下のように変更して実施することができる。本実施形態及び以下の変更例は、技術的に矛盾しない範囲で互いに組み合わせて実施することができる。
・上記実施形態では、軸本体３０３に先端凹部３３１が設けられる場合について例示したがこれに限らず、軸本体３０３の先端側３３０の直径が維持されているのであれば、先端凹部が設けられなくてもよい。
【００７６】
・上記実施形態では、凹部３４４の内周面に溝３４５が形成されている場合について例示したが、これに限らず、試料が保持されるのであれば、凹部の内周面に溝が形成されていなくてもよい。または、凹部の内周面に軸線方向に延びる凸部を設けて、摩擦抵抗や吸い上げ力を高めてもよい。
【００７７】
・上記実施形態では、凹部３４４の内周面には軸線方向に溝３４５が形成されている場合について例示したが、これに限らず、溝を軸線方向に交差する方向に設けて、摩擦抵抗や吸い上げ力が高められてもよい。
【００７８】
・筒状容器１００は、底部１１０と内部空間１０６に配置された軸部３００の収容部３０４との間に内部空間１０６を移動可能な態様で複数のビーズを収容していてもよい。ビーズは、試料採取器具１０に振動が加えられることで、収容部３０４に収容されている試料を分散させたり、試料を粉砕したりする。よって、収容部３０４の先端面３４０と筒状容器１００の底部１１０との間には、必要な量のビーズを配置可能である距離Ｌ１１（図２参照）が設けられている。
【００７９】
これにより、複数のビーズが移動可能な態様で内部空間１０６に配置されていることから、複数のビーズを振動させて、筒状容器１００の内部に配置された試料を拡散させたり、試料を検査用に粉砕することができる。
【００８０】
・スリット３４３が、先端面３４０から軸本体３０３の先端側３３０までの長さを有している場合について例示した。しかしこれに限らず、スリットは、先端面から軸本体の先端側までの間の一部に設けられていてもよい。また、先端面から軸本体の先端側までを結ぶ一つの直線上の複数箇所に設けられていてもよい。例えば、先端面にはスリットを設けずに円形とした場合、固形物の試料の採取面積を先端面の円形の大きさで規定することができるようになる。これにより、軸部において収容部におけるスリットの配置の自由度の向上が図られる。また、採取量の定量化の向上、試料の脱落抑止、収容部の強度向上も図られるようになる。
【００８１】
・上記実施形態ではスリット３４３が複数である場合について例示したが、これに限らず、スリットは１つでもよい。スリットが１つであっても、収納された試料の量が確認でき、試料採取時の排気口にもなるため、収容部に試料を採取することが容易になる。
【００８２】
・上記実施形態では、筒状容器１００、管状部材２００、及び、軸部３００は組み合わされて、相互に当接する部分は軸線方向に直交する断面形状が円形である場合について例示した。しかしこれに限らず、組み合わされて、相互に当接することができるのであれば、相互に当接する部分は、断面形状が、楕円形や、角を曲線とする矩形等の多角形であってもよい。
【００８３】
・上記実施形態では、試料が動物の便である場合について例示したが、動物の便は水分量が相対的に少ない固形状であっても、多少柔らかいが固形状であっても、相対的に液体が多く液体に固形物が含まれる態様であってもよい。
【００８４】
・上記実施形態では、試料が動物の便である場合について例示したが、これに限らず、試料は、人の便であってもよい。
・上記実施形態では、試料が便である場合について例示したが、これに限らず、試料は、水分と固形物との混じったもの、例えば、食品、植物、土壌等であってもよい。
【符号の説明】
【００８５】
１０…試料採取器具、２０…リスト、２１…グラフ、３０…リスト、１００…筒状容器、１０１…筒体、１０２…端部、１０３…開口部、１０４…フランジ、１０５…内周面、１０６…内部空間、１１０…底部、１１１…境界、１１２…テーパー面、１１３…皿部、１２０…嵌合部、１２１…凸ガイド、２００…管状部材、２０１…管体、２０２…嵌合部、２０３…外筒部、２０４…貫通孔、２０５…第１内周面、２０６…第２内周面、２０７…第３内周面、２１１…内筒先端部、２１２，２１３…端部、２１４…内部開口部、２２０…張出部、２２１…周枠部、２２２…内面、２２３…凸ガイド、２２４…外表面、２３０…外周面、２３１…外部開口部、２３２…境界、２３３…凹ガイド、３００…軸部、３０１…把持部、３０２…蓋部、３０３…軸本体、３０４…収容部、３１２…中央部、３１３…側辺部、３２２…周枠部、３２４…拡径部、３２５…凹部、３２６…張出部、３２７…内面、３２８…凸ガイド、３３０…先端側、３３１…先端凹部、３３２…薄肉部、３４０…先端面、３４１…開口部、３４２…外周部、３４３…スリット、３４４…凹部、３４５…溝。
【図１】
2020094828.tif 000003
【図２】
2020094828.tif 000004
【図３】
2020094828.tif 000005
【図４】
2020094828.tif 000006
【図５】
2020094828.tif 000007
【図６】
2020094828.tif 000008
【図７】
2020094828.tif 000009
【図８】
2020094828.tif 000010
【図９】
2020094828.tif 000011